(57)【要約】【課題】切替表示後の第２のボタンを第１の操作で誤って操作することを防止する。【解決手段】画像形成装置１は、ボタンの表示を行う表示部１１と、表示部１１上に配置され、外部からの操作を受け付けるタッチセンサ１２とを有するタッチパネル１０と、制御部２０とを備える。制御部２０は、表示部１１の所定位置に表示した第１のボタンへの、タッチパネル１０からの押下操作を受け付けると、表示部１１の第１のボタンを第２のボタンに切り替えて表示し、第２のボタンへの、押下操作とは異なる左右スワイプ操作を受け付けると、第２のボタンに対応した第２の処理の実行を指示する。【選択図】図２
2019032852.tif 000002
【特許請求の範囲】
【請求項１】
予め機能と対応付けられたボタンの表示を行う表示部と、
前記表示部上に配置され、外部からの操作を受け付けるタッチセンサを有する操作部と、
前記表示部の所定位置に表示した第１のボタンへの押下操作を受け付けると、前記表示部に第２のボタンを表示し、前記第２のボタンへの前記押下操作とは異なる操作を受け付けると、前記第２のボタンに対応付けられた第２の処理の実行を指示する制御手段とを備えた情報処理装置。
【請求項２】
前記制御手段は、前記第２の操作の態様を教示するマークを前記第２のボタンと併記して表示することを特徴とする請求項１に記載の情報処理装置。
【請求項３】
前記第１のボタンへの押下操作を受け付けた際に、前記第１のボタンに対応付けられた第１の処理を実行し、
前記第１の処理は、情報を出力するための所定の動作であり、前記第２の処理は、前記所定の動作を中断する処理であることを特徴とする請求項１または２に記載の情報処理装置。
【請求項４】
前記第１のボタンへの押下操作を受け付けた際に、前記第１のボタンに対応付けられた第１の処理を実行し、
前記第１の処理は、処理対象の情報に対して所定の設定を行うものであり、前記第２の処理は、前記所定の設定をクリアする処理であることを特徴とする請求項１または２に記載の情報処理装置。
【請求項５】
前記押下操作とは異なる操作の態様を、複数のうちから選択するカスタマイズ手段を備えたことを特徴とする請求項１〜４のいずれかに記載の情報処理装置。
【請求項６】
前記カスタマイズ手段は、前記第２の処理の種類毎に前記押下操作とは異なる操作の態様を選択可能であることを特徴とする請求項５に記載の情報処理装置。
【請求項７】
ユーザを識別するユーザ識別手段を備え、
前記カスタマイズ手段は、ユーザ毎に前記押下操作とは異なる操作の態様を選択可能であることを特徴とする請求項５に記載の情報処理装置。
【請求項８】
前記押下操作は、外部からの接離操作であり、前記押下操作とは異なる操作は、外部からの前記押下操作とは異なる移動操作であることを特徴とする請求項１〜７のいずれかに記載の情報処理装置。
【発明の詳細な説明】
【技術分野】
【０００１】
本発明は、タッチパネルへの操作を受け付けて、対応する機能を実行する情報処理装置に関する。
【背景技術】
【０００２】
従来、画像形成装置では、タッチパネル上にコピーボタンを表示し、このコピーボタンがユーザによってタッチされると、コピー動作を開始すると共に、当該コピーボタンの表示を「コピー中止」に変更するようにしていた。この変更により、ユーザはコピー動作を途中で中断する場合でも戸惑うことなく操作できていた。一方、ユーザによっては、コピースタートの指示の際にコピーボタンを連打するような場合があり、このような場合、連打中に表示が「コピー中止」に変更されても、それに気付かず、意に反してコピーの中止を誤って指示してしまうことがある。
【０００３】
特許文献１には、かかる誤ったタッチ操作の発生を効果的に防止する技術が記載されている。すなわち、コピーボタンが押された後、コピーボタンをコピー中止ボタンの表示に切り替える一方、コピー中止ボタンへの受け付けを一定時間無効とするものである。かかる受付無効時間を介在することで、連打による誤タッチを効果的に防止することが可能となる。
【先行技術文献】
【特許文献】
【０００４】
【特許文献１】特開２０１３−３７４９号公報
【発明の概要】
【発明が解決しようとする課題】
【０００５】
しかしながら、１台の画像形成装置を多数のユーザが利用するような状況下では、ユーザの個人差も考慮すれば、各ユーザの操作性を損なうことのない適当な無効時間をどの程度に設定するかは容易ではない。
【０００６】
本発明は、上記に鑑みてなされたもので、切り替わる前の第１のボタンへの第１の操作と切り替わった後の第２のボタンへの第２の操作とを異なる態様で設定することで、第２のボタンへの第１の操作の誤受付を防止する画像処理装置を提供することを目的とするものである。
【課題を解決するための手段】
【０００７】
本発明に係る情報処理装置は、予め機能と対応付けられたボタンの表示を行う表示部と、前記表示部上に配置され、外部からの操作を受け付けるタッチセンサを有する操作部と、制御手段とを備える。前記制御手段は、前記表示部の所定位置に表示した第１のボタンへの押下操作を受け付けると、前記表示部に第２のボタンを表示し、前記第２のボタンへの前記押下操作とは異なる操作を受け付けると、前記第２のボタンに対応付けられた第２の処理の実行を指示する。
【０００８】
本発明によれば、第１のボタンへの押下操作が受け付けられると、表示部に第２のボタンが表示され、この状態で第２のボタンへの、前記押下操作とは異なる操作が受け付けられると、第２のボタンに対応付けられた第２の処理の実行が指示される。従って、第１のボタンへの操作と、第２のボタンへの操作とを異なる態様で行うことが可能となり、第２のボタンへの押下操作による誤受付が防止される。なお、第２のボタンは、第１のボタンとは異なる機能に対応付けられていることが識別乃至は認識可能であれば足り、第１のボタンとは異なるアイコンでもよいし、第１のボタンに他の情報が併記乃至は付加的に表示されたものであってもよい。
【発明の効果】
【０００９】
本発明によれば、切替表示後の第２のボタンへの押下操作による誤受付が確実に防止できる。
【図面の簡単な説明】
【００１０】
【図１】本発明の第１実施形態に係る情報処理装置が適用される画像形成装置の部分斜視図である。
【図２】画像形成装置の機能を説明するブロック図である。
【図３】機能実行処理の第１の実施例における表示部の画面例を示す図である。
【図４】図３の画面においてスタートボタンが押下された場合の画面例を示す図である。
【図５】機能実行処理の第１の実施例である機能実行処理Ｉのフローチャートである。
【図６】機能実行処理Ｉにダイアログ処理を介在させた場合のダイアログ処理部分のフローチャートである。
【図７】機能実行処理の第２の実施例における表示部の画面例を示す図である。
【図８】図７の画面においてページ集約ボタンが押下されて切り替えられた画面例を示す図である。
【図９】図８の画面においてＯＫボタンが押下されて切り替えられた画面例を示す図である。
【図１０】機能実行処理の第２の実施例である機能実行処理IIのフローチャートである。
【図１１】機能実行処理IIにダイアログ処理を介在させた場合のダイアログ処理部分のフローチャートである。
【図１２】第２の操作の態様に対するカスタマイズ処理を示すフローチャートである。
【発明を実施するための形態】
【００１１】
図１に示すように、本発明に係る情報処理装置が適用される第１の実施形態である画像形成装置１は、所定形状、例えば略直方体状の筐体１Ａを備え、その内部に、原稿読み取り処理、画像形成処理、さらに情報通信処理を行うための各部を備えている。なお、図１では省略しているが、筐体１Ａの頂部には、複数枚の載置原稿を１枚ずつ原稿台１Ｂ上の光学的な原稿読取位置に自動搬送するための自動原稿搬送装置が原稿台１Ｂを開閉可能な状態で搭載される。筐体１Ａの適所、例えば上面の前方部（図１の右下方向）は、略水平面部を有する操作部としてのタッチパネル１０が突出して配置されている。タッチパネル１０は、所定形状、例えば長方形の表示面を有する表示部１１と、表示部１１の表示面に積層された感圧素子等の透明のタッチセンサ１２（図２参照）とを備える。
【００１２】
画像形成装置１は、図２のブロック図に示すように、ＣＰＵ（Central Processing Unit）から構成される制御部２０を有する。制御部２０には、タッチパネル１０の他、記憶部３０、通信部４０、原稿画像を光学的に読み取る原稿読取部５０及び原稿画像をコピー出力する画像形成部６０が接続されている。通信部４０は、原稿画像を電話回線を利用して他の装置にファクシミリ送信したり、ネットワーク例えばＬＡＮ（Local Area Network）を利用して他の機器に転送するものである。記憶部３０は、ＲＯＭ（Read Only Memory）及びＲＡＭ（Random Access Memory）で構成され、ＲＯＭには制御部２０で実行される制御プログラム、処理に必要なデータ類が格納され、ＲＡＭには処理途中のデータ等が一時的に格納される。
【００１３】
制御部２０は、表示制御部２１、操作受付部２２、機能実行処理部２３、カスタマイズ部２４及びユーザ識別部２５を備える。
【００１４】
表示制御部２１は、表示部１１に各種の画面を表示するものである。各種の画面は、予め操作に対応して階層的に準備されており、仮想操作部材としての各種のボタン類を含む。各ボタンには予め機能が対応付けられている。機能には、情報処理に関するものと、ジョブ（動作）処理に関するものとが含まれる。情報処理とは、例えばコピーモードにおける条件（コピー濃度や縮尺率等のパラメータ含む）等をコピーモードに対応付ける処理や、データ送信における送信先を送信データに対応付ける処理である。情報処理の設定内容は、記憶部３０に一時的に格納される。ジョブ処理とは、コピー、ファクシミリ、データ送信等であり、ジョブ実行中（動作中）の有無は、例えばフラグ等で記憶部３０に書き込まれる。
【００１５】
操作受付部２２は、表示部１１に表示されたボタンに対する、ユーザの指等による操作の有無を受け付けるものである。表示されるボタンの表示座標とタッチセンサ１２の位置情報とを予め対応して記憶部３０に格納しておくことで、タッチ位置からいずれのボタンへのタッチが行われたかが検出できる。また、操作受付部２２は、タッチセンサ１２に対する押下操作（第１の操作）の他、押下操作とは異なる操作態様、例えば押下した状態で、指をいずれかの方向（例えば左右方向）に往復移動させるスワイプ（Swipe）等の操作（第２の操作）を経時的な位置検知を通じて検出可能としている。
【００１６】
機能実行処理部２３は、受け付けたボタンに対応した機能を実行するもので、対応関係は予め記憶部３０に格納されている。なお、機能の実行は対応するコマンドによって処理される。
【００１７】
カスタマイズ部２４は、第２の操作の態様を予め複数種類準備しておき、いずれかを第２の操作として選択設定可能にするものである。例えば初期画面内にカスタマイズボタンを表示し、このカスタマイズボタンを押下することで、カスタマイズ画面に切り替わって所望の態様を選択可能にしている。選択結果は、第２の操作と対応付けられる。
【００１８】
ユーザ識別部２５は、カスタマイズ処理をユーザ毎に設定可能にする場合に必要なもので、例えば初期画面でユーザ毎のパスワード等を受け付けるようにし、ユーザ認識をした状態で、動作を許可するようにしたものである。ユーザ識別はパスワード入力の他、ユーザ特定情報が記憶された各人の携行用カード等を介してユーザ情報を近接的に読み取る態様でよい。
【００１９】
次に、機能実行処理の第１の実施例を、図３〜図６を用いて説明する。機能実行処理の第１の実施例（機能実行処理Ｉ）は、例えば図３、図４に示すように原稿を読み取ってコピーするジョブを想定している。図略の初期画面からコピーモードのボタンが選択されると、図３の画面が切り替え表示される。表示部１１の表示面１１０には、ジョブの仕上がり等の条件（パラメータ類含む）を設定するためのボタンその他が表示されている。表示面１１０の上部右側にはジョブの状況を示すアイコン１１１が表示され、左側には原稿の読取濃度や解像度等の各種読取条件を設定する設定ボタン類１１２が表示され、さらに、設定ボタン類１１２の下段に、他機能ボタン１１３が表示されている。他機能ボタン１１３は、各階層において、機能の種類数に応じて更なる機能が次画面に用意されていることを報知するためのもので、本実施形態では図３の他、必要な画面において表示される。さらに下部右側には、所定形状の、ここでは他のボタンに比して相対的に大きな長方形等の形状を有するスタートボタン１１４が表示されている。なお、表示面１１０には、他にもボタンが表示されているが、コピー動作に直接関連しないものについての説明は省略する。
【００２０】
図３において、スタートボタン１１４が押下操作（第１の操作が）されると、コピー動作が許可され、すなわち原稿読取部５０で原稿が読み取られ、読み取られた原稿が画像形成部６０に送信される。スタートボタン１１４が押下操作されると、表示面１１０は、原稿読み込み中、すなわち（原稿読取部５０から画像形成部６０へ）送信中の状態にあることを報知する、例えば図４のような画面に切り替わる。図４には、ジョブの状況を示す、図３のアイコン１１１が送信中を報知するアイコン１２１に変更され、さらに表示面１１０の略中央に大サイズのウインドウ１２２が重ね表示される。ウインドウ１２２は例えばジョブの進行状況を報知するものである。
【００２１】
また、表示面１１０では、図３のスタートボタン１１４が、読み込み中止を指令するための読込中止ボタン１２３に変更表示されている。読込中止ボタン１２３には左右スワイプの操作（第２の操作）を教示するマーク１２４が必要に応じて併記表示される。そして、ジョブ実行中に、読込中止ボタン１２３の表示域においてユーザによるスワイプ操作が行われたことが検出されると、当該ジョブが実行途中であっても中断される。なお、ジョブが中断されることなく終了した場合には、表示面１１０は図４の画面から所定の画面、例えば図３に戻り、読込中止ボタン１２３も非表示となる。
【００２２】
図５に示すように、機能実行処理Ｉは、初期画面内のコピーモードのボタンが押下されることで、コピージョブの基本画面（図３）に移行し（ステップＳ１１）、コピージョブの実行に必要な各種の条件がそれぞれのボタンを介して設定される（ステップＳ１３）。
【００２３】
次いで、スタートボタン１１４が押下（オン）された（第１の操作がされた）か否かが判断され（ステップＳ１５）、押下されていなければ、ステップＳ１３に戻って必要な条件の設定が行われる。ステップＳ１５で、スタートボタン１１４が押下されたのであれば、設定条件に従ってジョブの実行が許可、すなわち開始される（ステップＳ１７）。続いて、スタートボタン１１４が読込中止ボタン１２３に切り替えられて表示される（ステップＳ１９）。そして、この後、読込中止ボタン１２３に対して、スワイプ操作（第２の操作）がされたか否かが判断される（ステップＳ２１）。スワイプ操作がされていない場合には、ジョブが完了したか否かが判断され（ステップＳ２３）、ジョブが完了したのであれば、本フローを終了する。ジョブが完了していなければ、ステップＳ２１に戻る。そして、ステップＳ２１で、スワイプ操作がされた場合には、ジョブ中断の指令が発せられ（ステップＳ２５）、かかる指令を受けて、制御部２０はジョブ動作を停止する。
【００２４】
このように、ジョブ中断を、ジョブ開始を許可する操作の態様と異なる態様とすることで、ジョブ開始を連打的な連続操作で指示する場合でも、誤ってジョブ停止を指示してしまうという不都合はなくなり、ジョブ開始が円滑かつ確実に指示できることとなる。
【００２５】
また、図５では、ステップＳ２１でスワイプ操作がされると、実行中のジョブを一律に中断するようにしたが、図６は、ユーザとの対話を行う処理、いわゆるダイアログ処理を介在させたものである。図６は、図５のステップＳ２５の処理のみが相違する。すなわち、スワイプ操作がされた場合、まず、ジョブが一時停止され（ステップＳ２５１）、さらに、ダイアログが表示される（ステップＳ２５３）。ダイアログとしては、一般的な、先の機能の実行を否定するキャンセルボタンと肯定を示す再開ボタンとを併記表示するものが採用可能である。ダイアログに対する操作は通常の押下態様でよい。
【００２６】
ダイアログのキャンセルボタンが押下されたか否かが判断され（ステップＳ２５５）、キャンセルボタンが押下された場合、ジョブはキャンセル処理され（ステップＳ２５７）、キャンセルボタンが押下されなければ、再開ボタンが押下されたか否かが判断される（ステップＳ２５９）。ここで、再開ボタンが押下されていなければ、ステップＳ２５５に戻り、同様な処理が繰り返される。一方、再開ボタンが押下された場合、ジョブは再開処理される（ステップＳ２６１）。ダイアログ処理を介在させることでジョブ再開の機会を設けることができる。
【００２７】
次に、機能実行処理の第２の実施例を、図７〜図１１を用いて説明する。機能実行処理の第２の実施例（機能実行処理II）は、例えば図７〜図９に示すように設定内容を事後的にクリアする処理である。例えば図３の画面において他機能ボタン１１３が選択されると、表示面１１０は、図７に示す画面に切り替わる。図７に示すように、表示面１１０には、他の機能を示すための他機能ウインドウ１３１が表示され、その適所、例えば右上部には、設定内容を決定するＯＫボタン１３２が表示されている。また、他機能ウインドウ１３１内には種々の設定メニューボタン１３３が表示されている。設定メニューボタン１３３内には、本実施例で処理対象とする、例えばページ集約ボタン１３３１が含まれる。
【００２８】
図７においてページ集約ボタン１３３１が押下されると、表示面１１０は、図８に示す画面となる。すなわち、表示面１１０では、他機能ウインドウ１３１の一部にページ集約ウインドウ１４１が重ねて表示されている。ページ集約ウインドウ１４１の適所、例えば右上部には、設定内容を決定するＯＫボタン１４２が表示されている。なお、ページ集約とは、１枚に配置する原稿の種類等を選ぶ処理である。例えば、図８に示すように、１枚のコピー紙に割り当てる原稿枚数とか、レイアウトとか、境界線の有無及び種類等の各設定条件がそれぞれボタンとして準備されている。所望するボタンへの押下操作による設定が終わり、ＯＫボタン１４２を押下することで、設定内容が決定され、表示面１１０は前画面、すなわち図９に戻る。
【００２９】
図９では、ページ集約ボタン１３３１に対応付けて設定済みを示す所定のマーク、ここではチェックマーク１５１が表示され、また、左右のスワイプの操作を教示するマーク１５２が必要に応じて併記表示される。チェックマーク１５１は図９の形態に限定されず、設定済みであることの識別が可能であれば種々の態様が採用可能であり、例えば、ボタン１３３１の表示色を変えるとか、点灯させるようにしてもよい。そして、図９の画面において、チェックマーク１５１が付されているボタン、例えばページ集約ボタン１３３１に対してスワイプ操作（第２の操作）が行われると、図８で設定したページ集約に対する設定内容がクリアされ、チェックマーク１５１が消去される。これによって、ページ集約に対する先の設定内容がクリアされたことがユーザに報知される。なお、設定内容のクリアには、内容が所定の状態、例えばデファクトに変更される場合、先の設定内容のままであって決定のフラグのみがクリアされる場合、あるいは直前の設定内容に戻る場合等が想定される。
【００３０】
図１０に示す、機能実行処理の第２の実施形態（機能実行処理II）のフローチャートを用いて、ジョブのための処理条件の設定や情報処理のための指示内容の設定及びそれらのキャンセル方法を説明する。
【００３１】
まず、設定メニュー画面が表示され（ステップＳ３１）、次いで設定ボタンの選択が受け付けられたか否かが判断される（ステップＳ３３）。例えば、図７に例示するページ集約の内容を設定するための設定メニューボタン１３３が表示され、そのうちのいずれかの設定ボタン、例えばページ集約ボタン１３３１が押下されたか否かが判断される。ページ集約ボタン１３３１が押下された場合、図８の設定メニュー画面が表示される。
【００３２】
続いて、ユーザからの操作を受け付け、受け付けた内容に従って設定内容が変更される（ステップＳ３５）。例えば、図８のページ集約ウインドウ１４１内の各ボタンに対する押下操作に従って設定内容の変更が行われる。かかる設定内容の変更処理は、決定ボタンが押下されまで繰り返される（ステップＳ３７）。例えば図８のＯＫボタン１４２が押下されまでは、ページ集約ウインドウ１４１内の各ボタンに対して設定内容を変更することが可能である。一方、ＯＫボタン１４２が押下されると、表示面１１０は前画面に切り替わると共に、設定処理が行われたボタンには設定済みを示す表示画面とされる（ステップＳ３９）。例えば図８から図９の画面に切り替わり、かつページ集約ボタン１３３１にチェックマーク１５１が表示される。更に、必要に応じてマーク１５２が表示される。
【００３３】
ここで、設定処理が行われたボタンに対してスワイプ操作がされたか否かが判断される（ステップＳ４１）。スワイプ操作がされなければ、本フローを終了する。一方、設定処理が行われたボタンに対してスワイプ操作がされたのであれば、当該ボタンに対する設定内容はクリアされる（ステップＳ４３）。例えば、図９で、ページ集約ボタン１３３１に対してスワイプ操作がされると、ページ集約に関する設定内容はクリアされる。また、チェックマーク１５１の消去が行われる。なお、制御部２０は、設定後の内容と設定前の内容とを保管しておき、クリア処理を受けると、設定前の内容に戻す処理を実行するようにしている。これによれば、キャンセル操作をＯＫボタンへの操作ではなく、ページ集約ボタン１３３１等の設定ボタンに対して、直接第２の操作を行うようにしたので、該当する設定内容毎にキャンセル指示を行うことが可能となる。
【００３４】
また、図１０では、ステップＳ４１でスワイプ操作がされると、設定された内容がクリアされるようにしたが、図１１では、ユーザとの対話を行う処理、いわゆるダイアログ処理を介在させたものである。図１１では、図１０のステップＳ４３の処理のみが相違する。すなわち、該当するボタンに対してスワイプ操作がされた場合、確認ダイアログが表示される（ステップＳ４３１）。なお、ダイアログとしては、一般的な、先の機能の実行を否定するキャンセルボタンと肯定を指示する設定ボタンとを併記表示するものが採用可能である。また、ダイアログに対する操作は通常の押下態様でよい。
【００３５】
次いで、確認ダイアログのキャンセルボタンが押下されたか否かが判断され（ステップＳ４３３）、キャンセルボタンが押下された場合、設定内容はクリアされて設定前の内容に戻され（ステップＳ４３５）、キャンセルボタンが押下されなければ、設定ボタンが押下されたか否かが判断される（ステップＳ４３７）。ここで、設定ボタンが押下されていなければ、ステップＳ４３３に戻り、同様な処理が繰り返される。一方、設定ボタンが押下された場合、設定内容が確定処理される（ステップＳ４３９）。このようにダイアログ処理を介在させることで設定内容の再確認の機会を設けることができる。
【００３６】
以上では、先に実行した機能を否定（キャンセル、クリア）する第２の操作の態様としてスワイプ操作を採用したが、第２の実施形態として、先の機能の実行を否定する操作は左右スワイプに限定されず、種々の態様を準備しておき、かつ任意に設定（カスタマイズ）するようにしてもよい。例えば、画像形成装置１毎に設定可能としてもよく、あるいは１台の画像形成装置１内で処理の種類毎及びユーザ毎の少なくとも一方について設定可能としてもよい。これらによれば、第２の操作の態様に対して汎用性が向上する。
【００３７】
すなわち、図１２を用いて第２の操作の態様に対するカスタマイズ処理を説明する。まず、システム設定画面、例えば初期画面が表示され（ステップＳ５１）、当該画面内に複数の第２の操作の態様が各ボタンで選択可能に表示される。ユーザがその内の１つを選択して押下すると、本装置１に対する第２の操作の態様が選択設定される（ステップＳ５３）。なお、処理モード毎に設定する場合は、ステップＳ５１で表示されるシステム設定画面に処理モードの選択ボタンが併記表示されるようにすればよい。また、ユーザ毎に設定可能にする態様では、ユーザ識別処理を付加すればよい。例えば、ユーザ識別情報の入力部を設け、ユーザ認識処理を採用する等すればよい。そして、カスタマイズ後に画像形成装置１を利用する場合、ユーザ認識を行ってカスタマイズされている第２の操作に対する態様が設定されるようにすればよい。
【００３８】
また、第２の操作の態様として、左右のスワイプ操作で説明したが、これに限定されず、第３の実施形態として、第１の操作とは態様の異なる上下方向のスワイプ操作のような一次元的な操作、さらに円又はその他の図形を描くような二次元的な操作を含めてもよい。また、移動操作に加えてタッチセンサ１２への接離動作を含む３次元的な操作でもよい。
【００３９】
また、本発明の第３の実施形態として、コピーやプリント等の画像形成機能の有無を問わず、文書及び図形の作成等の情報作成機能や、情報通信機能を備えた情報処理装置にも適用可能である。また、本発明は、ジョブの種類もコピーに限定されず、ファクシミリやその他の情報通信ジョブに対しても適用可能であり、さらに、設定内容も、コピージョブに対する条件設定に限定されず、各情報処理の処理方法、例えばドキュメントのファイリング方法の設定にも適用可能である。
【００４０】
また、上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味及び範囲内でのすべての変更が含まれることが意図される。
【００４１】
そして、本情報処理装置は、予め機能と対応付けられたボタンの表示を行う表示部と、前記表示部上に配置され、外部からの操作を受け付けるタッチセンサとを有する操作部と、前記表示部の所定位置に表示した第１のボタンへの押下操作を受け付けると、前記第１のボタンに対応付けられた第１の処理の実行を許可する一方、前記第１の処理の実行の許可後に、前記表示部の前記第１のボタンの表示されていた位置に対応して第２のボタンを表示し、前記第２のボタンへの前記押下操作とは異なる操作を受け付けると、前記第２のボタンに対応付けられた、前記第１の処理の実行の許可をキャンセルする第２の処理の実行を指示する制御手段とを備えルことが好ましい。
【００４２】
本発明によれば、第１のボタンへの押下操作が受け付けられると、第１のボタンに対応付けられた第１の処理の実行が許可される。次いで、表示部の第１のボタンの表示されていた位置に対応して第２のボタンが表示され、この状態で第２のボタンへの前記押下操作とは異なる操作が受け付けられると、第２のボタンに対応付けられた、第１の処理の実行の許可をキャンセルする第２の処理の実行が指示される。従って、第１のボタンへの操作と、第２のボタンへの操作とを異なる態様で行うことが可能となり、第２のボタンへの第１の操作の誤受付が防止される。なお、第２のボタンは、第１のボタンとは異なる機能に対応付けられていることが識別乃至は認識可能であれば足り、第１のボタンとは異なるアイコンでもよいし、第１のボタンに他の情報が併記乃至は付加的に表示されたものであってもよい。
【００４３】
また、情報処理装置において、前記第１の処理は、情報を出力するための所定の動作であり、前記第２の処理は、前記所定の動作を中断する処理であることが好ましい。この構成によれば、第１のボタンに引き続いて第２のボタンが切り替わって表示されるような場合には、連打式の操作がされても第２のボタンへの誤った受付が防止される。
【００４４】
また、情報処理装置において、前記第１の処理は、処理対象の情報に対して所定の設定を行うものであり、前記第２の処理は、前記所定の設定をクリアする処理であることが好ましい。この構成によれば、第１のボタンへの第１の操作を経て処理対象の情報に対して所定の設定が行われ、そして、所定の設定の後に第２のボタンが表示されるような場合には、第２のボタンへの第２の操作で、処理対象の情報に対する所定の設定がクリアされることになる。従って、処理対象の情報に対する所定の設定のみへのクリア指示が容易に行われる。また、操作態様を異ならせることで、設定指示とクリア指示とを混同乃至は誤認することがなくなる。
【００４５】
また、情報処理装置において、前記第２の操作の態様を、複数のうちから選択するカスタマイズ手段を備えることが好ましい。この構成によれば、第２の操作の態様として、ユーザが慣れている動き（ジェスチャー）に近いものや好みのものが選択可能とため、操作性が向上する。
【００４６】
また、情報処理装置において、前記カスタマイズ手段は、前記第２の処理の種類毎に前記第２の操作の態様を選択可能であることが好ましい。この構成によれば、第２の操作の態様が第２の処理の種類毎に設定できるので、処理の種類に対応した適宜な操作態様を対応付けることが可能となり、操作性が向上する。
【００４７】
また、情報処理装置において、ユーザを識別するユーザ識別手段を備え、前記カスタマイズ手段は、ユーザ毎に前記第２の操作の態様を選択可能であることが好ましい。この構成によれば、ユーザはそれぞれ慣れた操作態様を選択することが可能となるので、操作性が向上する。
【００４８】
また、情報処理装置において、前記第１の操作は、外部からの接離操作であり、前記第２の操作は、外部からの少なくとも１次元以上の移動操作であることが好ましい。この構成によれば、第２の操作を、押下操作のような第１の操作と明確に異なる態様とすることができる。
【００４９】
さらに、本情報処理装置は、予め機能と対応付けられたボタンの表示を行う表示部と、前記表示部上に配置され、外部からの操作を受け付けるタッチセンサを有する操作部と、制御手段とを備えことが好ましい。前記制御手段は、前記表示部の所定位置に表示した第１のボタンへの押下操作を受け付けると、前記第１のボタンに対応付けられた第１の処理の実行を許可する一方、前記第１の処理の実行の許可後に、前記表示部の前記第１のボタンの表示されていた位置に対応して第２のボタンを表示し、前記第２のボタンへの前記押下操作とは異なる操作を受け付けると、前記第２のボタンに対応付けられた第２の処理の実行を指示する。
【００５０】
この構成によれば、第１のボタンへの押下操作が受け付けられると、第１のボタンに対応付けられた第１の処理の実行が許可される。次いで、表示部の第１のボタンの表示されていた位置に対応して第２のボタンが表示され、この状態で第２のボタンへの、前記押下操作とは異なる操作が受け付けられると、第２のボタンに対応付けられた第２の処理の実行が指示される。従って、第１のボタンへの操作と、第２のボタンへの操作とを異なる態様で行うことが可能となり、第２のボタンへの押下操作による誤受付が防止される。なお、第２のボタンは、第１のボタンとは異なる機能に対応付けられていることが識別乃至は認識可能であれば足り、第１のボタンとは異なるアイコンでもよいし、第１のボタンに他の情報が併記乃至は付加的に表示されたものであってもよい。
【符号の説明】
【００５１】
１  画像形成装置
１０  タッチパネル（操作部）
１１  表示部
１２  タッチセンサ
２０  制御部（制御手段）
２４  カスタマイズ部（カスタマイズ手段）
【図１】
2019032852.tif 000003
【図２】
2019032852.tif 000004
【図３】
2019032852.tif 000005
【図４】
2019032852.tif 000006
【図５】
2019032852.tif 000007
【図６】
2019032852.tif 000008
【図７】
2019032852.tif 000009
【図８】
2019032852.tif 000010
【図９】
2019032852.tif 000011
【図１０】
2019032852.tif 000012
【図１１】
2019032852.tif 000013
【図１２】
2019032852.tif 000014